(57)【要約】【課題】樹脂枠の室内側の取付用アングル部に固定用ファスナーの頭部が露出するのを防止して複合サッシの内観を向上させることができる複合サッシの枠構造。【解決手段】窓開口部１５に装着されるアルミニウム製金属枠１０ａ、１１ａ、１２ａと該金属枠ａの屋内側に配置された樹脂枠１０ｂ、１１ｂ、１２ｂとを備え、上記樹脂枠の室内側の取付用アングル部１４、２２、２４を窓開口部の窓額縁にファスナー３４で固定する複合サッシにおいて、上記樹脂枠１０ｂ、１１ｂ、１２ｂのアングル部１４、２２、２４を、該アングル部に固定される下地部２７と該下地部２７に弾性的に係止されるカバー部２８とを備えたアングルカバー２６で覆った。【選択図】　　　　図４
2004124407.tif 000002
【特許請求の範囲】
【請求項１】
窓開口部に装着されるアルミニウム製金属枠と該金属枠の屋内側に配置された樹脂枠とを備え、上記樹脂枠の室内側の取付用アングル部を窓開口部の窓額縁にファスナーで固定する複合サッシにおいて、上記アングル部を、上記アングル部に固定される下地部と該下地部に弾性的に係止されるカバー部とを備えたアングルカバーで覆うことを特徴とする複合サッシの枠構造。
【請求項２】
前記アングルカバーが合成樹脂製で、前記下地部に前記カバー部が一側で折り畳み可能に形成され、他側でカバー部が下地部に係止可能となっている、請求項１記載の複合サッシの枠構造。
【発明の詳細な説明】
【０００１】
【発明の属する技術分野】
本発明は、金属枠と樹脂枠とからなる複合サッシにおいて、樹脂枠の室内側の周縁部と窓開口部の額縁との間の枠構造に関する。
【０００２】
【従来技術とその問題点】
従来から、開口部に装着されるアルミニウム製金属枠と該金属枠の屋内側に配置された樹脂枠とを備えた窓枠内に引き違い障子を摺動自在に支持した複合サッシが普及している。このような複合サッシにおいて、合成樹脂枠の室内側の取付縁（アングル部）は、窓開口部の窓額縁を構成する上部材、下部材および左右の側部材に木ネジ、釘等のファスナーで固定されている。（例えば、特許文献１参照）。
【０００３】
【特許文献１】
特許第３２６６２３３号公報（図２及び図３）
【０００４】
【発明が解決しようとする課題】
しかしながら、このような取り付け態様によれば、合成樹脂枠の室内側の取付縁には窓額縁に固定するためのファスナーの頭部が露出することになる。固定用ファスナーは３００〜５００ｍｍ間隔で打ち込まれているから、ファスナーの頭部も同じ間隔で露出する。したがって、多数の頭部の露出によって内観が損なわれていた。
【０００５】
本発明は上記問題点を解消し、樹脂枠の室内側の取付用アングル部に固定用ファスナーの頭部が露出するのを防止して複合サッシの内観を向上させることができる複合サッシの枠構造を提供することをその課題とする。
【０００６】
【課題を解決するための手段】
前記課題を解決するため、本発明に係る複合サッシの枠構造は、窓開口部に装着されるアルミニウム製金属枠と該金属枠の屋内側に配置された樹脂枠とを備え、上記樹脂枠の室内側の取付用アングル部を窓開口部の窓額縁にファスナーで固定する複合サッシにおいて、上記アングル部を、上記アングル部に固定される下地部と該下地部に弾性的に係止されるカバー部とを備えたアングルカバーで覆うことを特徴とする。
【０００７】
なお、前記アングルカバーが合成樹脂製で、前記下地部に前記カバー部が一側で折り畳み可能に形成され、他側でカバー部が下地部に係止可能となっているようにするのが好ましい。
【０００８】
【発明の実施の形態】
図１は本発明に係る窓サッシの正面図、図２は図１のＸ−Ｘ線上の拡大断面図であり、図３は同じくＹ−Ｙ線上の拡大断面図である。
【０００９】
図１〜図３において符号１は窓枠を示す。この窓枠１は建物の開口部の外側に取り付けられ、内側に内障子２と外障子３とからなる１対の引き違い障子を摺動自在に収納している。
【００１０】
窓枠１と障子２、３はそれぞれ金属部と樹脂部とから構成され、全体として複合サッシを構成している。
【００１１】
内障子２、外障子３の上框５、下框６及び左右の縦框７は、それぞれアルミニウム又はその合金から成る金属部ａと、金属部ａの屋内側に添設されたポリ塩化ビニル等の樹脂部ｂとを一体的に結合してなるもので、内障子２、外障子３は閉じた状態（図１の状態）で屋内に面する部分はガラス部分を除き全て樹脂部ｂによって構成されている。また、屋外側の障子２、３の召し合せ框の外側縁は金属部ａで形成されているので、屋外に面する部分には全て金属部ａが露出している。なお、各障子の内側にはペアガラス８が装着されている。
【００１２】
次に、窓枠１は上枠１０と下枠１１と左右の縦枠１２とを方形に枠組みして成るもので、上記各枠部材もアルミニウム又はその合金製の金属枠とポリ塩化ビニル等の樹脂枠とからなる複合サッシ材である。
【００１３】
上枠１０は上部の金属枠１０ａと下部の樹脂枠１０ｂとを一体に結合したもので、金属部ａの取付縁１３と樹脂枠１０ｂの屋内側の取付用アングル部１４を窓開口部１５の上部材１５ａにネジ止めすることにより固定されている。
【００１４】
下枠１１は金属枠１１ａの上面の一部に樹脂枠１１ｂを一体に結合したもので、金属枠１１ａは、建物躯体の窓開口部１５の下部材１５ｂの外側面に取り付けられる取付縁１６と、取付縁１６の屋外側に突出する中空部１８と、中空部１８の上方に突出した網戸レール１９と２本の障子用内レール２０と外レール２１とから成っている。これに対し、樹脂枠１１ｂは、屋内側の内レール２０の屋内側全長に配設され、屋内側には、窓開口部１５の下部材１５ｂの上面に固定するための取付用アングル部２２が形成されている。
【００１５】
なお、下枠１１は２つの取付縁１６、取付用アングル部２２を窓開口部１５の下部材１５ｂの外側面と上面にネジ止めすることにより固定されている。
【００１６】
縦枠１２は金属枠１２ａの屋内側に面する部位に樹脂枠１２ｂを一体に結合したもので、縦枠１２は取付用アングル部２４を窓開口部１５の側部材１５ｃの外側面にネジ止めすることにより固定されている。
【００１７】
前記構成によれば、それぞれ金属部ａと樹脂部ｂとを結合してなる複合サッシ材により窓枠１と障子２、３とから引き違い窓が形成され、しかもこの引き違い窓は、窓枠１の上枠１０の下面及び屋内に対面する部位と、下枠１１の上面でかつ上記障子２、３が閉じた状態で屋内に対面する部位と、縦枠１２の屋内側の側面でかつ上記障子２、３が閉じた状態で屋内に対面する部位及び屋内に対面する部位とには、それぞれ樹脂枠１０ｂ、１１ｂ、１２ｂが配置され、また障子２、３の框の屋内に面する部位に樹脂部ｂが配置されている。要するに、障子２、３を閉じた状態で屋内に面する部位はほとんど樹脂部ｂと樹脂枠１０ｂ、１１ｂ、１２ｂによって構成されている。したがって、障子２、３を閉じた状態で外気温は屋内側に対し有効に断熱されるから、トータルとしての断熱性に優れ、結露も有効に防止することができる。
【００１８】
次に、上記上枠１０、下枠１１及び左右の縦枠１２の各樹脂枠１０ｂ、１１ｂ、１２ｂの室内側に設けられた取付用アングル部１４、２２、２４は各端部で突合せられて連続する額縁状に形成されている。そして、各取付用アングル部１４、２２、２４は、窓開口部１５の上下及び左右の内面に設けられて上、下及び側部材１５ａ、１５ｂ、１５ｃの一部を構成する窓額縁２５に対して木ネジ（釘等のファスナーでもよい）で固定されている。
【００１９】
次に、上記アングル部１４、２２、２４はアングルカバー２６によって覆われている。アングルカバー２６はポリ塩化ビニル等の合成樹脂から成り、詳しくは図４に示されるように、下地部２７とカバー部２８とから構成されている。
【００２０】
下地部２７は垂直の起立縁２９と水平の当接縁３０とをＴ字形に形成し、当接縁３０の端部にＬ字形の鈎縁３１を形成して成り、カバー部２８は上記下地部２７とほぼ同じ幅で、カバー部２８の一側端は上記起立縁２９の上端に薄肉のヒンジ部３２を介して回動自在に連結され、他側端には係止部３３が形成されている。そして、カバー部２８は下地部２７上に重なるように折り畳んだときに上記係止部３３が鈎縁３１に弾性的に係止できるように形成されている。なお、上記起立縁２９の当接縁３０より下方の高さは、樹脂枠の取付用アングル部１４、２２、２４の肉厚とほぼ同じ程度に形成されている。また、アングルカバー２６の折り畳み時の全体の幅は、上枠の樹脂枠１０ｂの取付用アングル部１４の水平部分の幅と同じ程度になるように形成されている。
【００２１】
上記構成のアングルカバー２６を樹脂枠のアングル部１４、２２、２４に取り付けるときは、下枠１１においては、窓額縁２５上に樹脂枠のアングル部２２を当接し、さらにアングル部の上にカバー部２８を開放した状態で下地部２７を重合する。そして、木ネジ等のファスナー３４によって下地部２７とアングル部２２とを窓額縁２５に固定する。ファスナー３４の頭部は下地部２７の表面に露出する。次に、カバー部２８を折り畳んでその側端の係止部３３を下地部２７の鈎縁３１に弾性的に係止する。上枠１０と縦枠１２も同様にすればよい。このとき下枠と縦枠のアングルカバー２６とは図５に示されるように接続する。なお、下枠のアングルカバー２６の端部には、上記アングル部２４との干渉を防ぐための切欠き２６ａを形成する。縦枠と上枠も同様に突合せ接続される。
【００２２】
これにより、カバー部２８は下地部２７を覆うので、ファスナー３４の頭部はカバー部２８によって隠れ、外部に露出することがない。そして、樹脂枠のアングル部１４、２２、２４の四周がアングルカバー２６によって覆われるから、アングルカバー２６自体が額縁状に形成される。このように、アングル部１４、２２、２４のファスナー３４の頭部はアングルカバー２６によって覆われ、またアングルカバー２６自体が額縁を構成するので、窓サッシの内観が向上する。
【００２３】
また、アングルカバー２６は下地部２７とカバー部２８とが分離しないので、取り扱いが容易であるだけでなく、取り付け作業も容易に行なうことができる。
【００２４】
なお、アングルカバー２６は上述の例に限定されない。要するに、下地部に対してカバー部をファスナーを使わずに固定できる構成であればよく、図６に示すように、下地部２７とカバー部２８とを別体とし、それぞれに互いに係止する係止部３３ａ、３３ｂを形成し、下地部２７をアングル部とともに窓額縁にファスナーで固定した後、下地部２７にカバー部２８を弾性的に係止固定する構成であってもよい。
【００２５】
また、アングルカバーの下地部は窓額縁でなく、接着剤を介してアングル部にのみ固定する構成であってもよい。
【００２６】
【発明の効果】
請求項１に係る発明によれば、樹脂枠のアングル部を、該アングル部に固定される下地部と該下地部に弾性的に係止されるカバー部とを備えたアングルカバーで覆うので、カバー部は下地部を覆うので、ファスナーの頭部はカバー部によって隠れ、外部に露出することがない。そして、樹脂枠のアングル部の四周がアングルカバーによって覆われるから、アングルカバー自体が額縁状に形成される。このように、アングル部のファスナーの頭部はアングルカバーによって覆われ、またアングルカバー自体が額縁を構成するので、窓サッシの内観が向上する。
【００２７】
請求項２に係る発明によれば、アングルカバーは、下地部にカバー部が一側で折り畳み可能に形成され、他側でカバー部が下地部に係止可能となっているので、下地部とカバー部とが分離しないので、取り扱いが容易であるだけでなく、取り付け作業も容易に行なうことができる。
【図面の簡単な説明】
【図１】本発明に係る窓サッシの正面図
【図２】図１のＸ−Ｘ線上の拡大断面図
【図３】図１のＹ−Ｙ線上の拡大断面図
【図４】図２の要部の拡大図
【図５】アングルカバーの突合せ接続の態様を示す斜視図
【図６】アングルカバーの他の例の断面図
【符号の説明】
ａ　金属部（金属枠）
ｂ　樹脂部（樹脂枠）
１４、２２、２４　取付用アングル部
２６　アングルカバー
２７　下地部
２８　カバー部
【図１】
2004124407.tif 000003
【図２】
2004124407.tif 000004
【図３】
2004124407.tif 000005
【図４】
2004124407.tif 000006
【図５】
2004124407.tif 000007
【図６】
2004124407.tif 000008